(57)【特許請求の範囲】
【請求項１】
側壁と開口部とを有する導電性の箱型の枠体と、該枠体内に設けられ、該枠体と電気的に接続されたシールド板と、爪部を有し、該爪部を前記側壁に係止して前記枠体の前記開口部を覆うように配設されたカバーとを備え、該カバーには、前記シールド板の上端部と対向する位置で前記枠体内部に突出する突部と、前記爪部の近傍で、該突部と前記爪部との間に設けられた長孔とが形成され、前記カバーの前記突部が前記シールド板の上端部に弾接していることを特徴とする電子機器。
【請求項２】
前記長孔が、前記枠体の前記側壁と平行に設けられていることを特徴とする請求項１記載の電子機器。
【発明の詳細な説明】
【０００１】
【発明の属する技術分野】
本発明は、特に、テレビジョンチューナや、ＦＭラジオチューナなどの電子機器に関する。
【０００２】
【従来の技術】
図４は、従来の電子機器を示す斜視図、図５は、従来の電子機器を示す断面図、図６は、従来の電子機器からカバーを外した状態を示す斜視図である。
図４〜図６に示すように、従来の電子機器、例えばテレビジョンチューナなどの電子機器は、導電性の金属板などを折り曲げて形成された箱型の枠体１を有し、この枠体１は、４つの側壁１ａと、その上部に開放された開口部１ｂと、下部に開放された開口部１ｃとを有している。また、開口部１ｂに近接した側壁１ａの外周部には、外方に突出した複数個の凸部１ｅが設けられている。
また、枠体１は、枠体１内に設けられ、該枠体１の側壁１ａと電気的に接続された複数枚（例えば２枚）のシールド板４を有し、このシールド板４は、枠体１の開口部１ｃに対して垂直であって、且つ枠体１の内部を複数個の領域に仕切るように配置されている。
【０００３】
プリント配線基板２は、平板状の例えばガラス入りエポキシ樹脂材料から成り、図示していないが、一方の面側には、集積回路（ＩＣ）やコイルなどが載置され、他方の面側には、チップ抵抗器やチップコンデンサーなどが載置されている。
また、プリント配線基板２は、枠体１の開放部１ｃに一方の面側を内側にして枠体１に仮止めされて配置され、プリント配線基板２の他方の面側の接地パターンは、枠体１と半田によって電気的に接続され、これによって、プリント配線基板２が枠体１に固定されている。この固定された状態で、枠体１の内部のシールド板４に区切られた複数個（例えば３個）の領域に収納された電子回路は、シールド板４によって、各電子回路の相互の干渉が防止されている。
【０００４】
カバー３は、導電性の金属板を切断、折り曲げ加工することによって形成され、平板部３ａと、平板部３ａの外周部を折り曲げて形成された複数個の爪部３ｂとを有している。また、平板部３ａにおける前記シールド板４の上方に位置する箇所には、略Ｕ字状の切り込み部３ｅが形成されていると共に、これらの略Ｕ字状の領域に平板部３ａから下方に突出された略くの字状に曲げ加工された舌片部３ｆが形成されている。また、舌片部３ｆの付け根部３ｇは、舌片部３ｆの配置されている箇所によっては、爪部３ｂの近傍に配置される。
また、カバー３は、爪部３ｂが、枠体１に設けられた凸部１ｅに係止されて、開口部１ｂを覆うように取り付けられている。
【０００５】
このような構成において、カバー３の爪部３ｂが、枠体１の凸部１ｅに係止されることにより、カバー３が、枠体１に取り付けられる。この結果、カバー３が、爪部３ｂ、凸部１ｅ及び側壁１ａを介して接地される。
また、カバー３は、下方に突出された舌片部３ｆがシールド板４の上端部４ａに接触するためシールド板４及び側壁１ａを介して接地される。
【０００６】
【発明が解決しようとする課題】
しかしながら、上述した従来の電子機器は、カバー３とシールド板４との間に働く圧力が舌片部３ｆの付け根部３ｇに集中する。このためこの圧力が強いと、ときとして、カバー３の爪部３ｂが、枠体１の凸部１ｅから外れ、しかも、カバー３と枠体１との接触が不安定になるという問題点があった。そして、また、舌片部３ｆの長さが長いと、枠体１内のシールド板４とカバー３との接触が弱く、接触が不安定になるという問題点があった。
【０００７】
そこで、本発明の電子機器では、上述の問題点を解決するものであり、その目的は、枠体１とシールド板４とカバー３とが確実に接触し、シールド効果を高く保つことの出来る電子機器を提供することである。
【０００８】
【課題を解決するための手段】
本発明の電子機器は、側壁と開口部とを有する導電性の箱型の枠体と、該枠体内に設けられ、該枠体と電気的に接続されたシールド板と、爪部を有し、該爪部を前記側壁に係止して前記枠体の前記開口部を覆うように配設されたカバーとを備え、該カバーには、前記シールド板の上端部と対向する位置で前記枠体内部に突出する突部と、前記爪部の近傍で、該突部と前記爪部との間に設けられた長孔とが形成され、前記カバーの前記突部が前記シールド板の上端部に弾接していることである。
【０００９】
また、本発明の電子機器は、長孔が、枠体の側壁と平行に設けられていることである。
【００１０】
【発明の実施の形態】
以下、図面を用いて本発明の電子機器について説明する。
図１は、本発明の電子機器を示す斜視図、図２は、本発明の電子機器を示す断面図、図３は、本発明の電子機器からカバーを外した状態を示す斜視図である。なお、従来の電子機器と同一構成については、同一符号を付与してある。
【００１１】
図１〜図３に示すように、本発明の電子機器、例えばテレビジョンチューナなどの電子機器は、導電性の金属板などを折り曲げて形成された箱型の枠体１を有し、この枠体１は、四方を囲む４つの側壁１ａと、その上部に開放された開口部１ｂと、下部に開放された開口部１ｃとを有している。また、開口部１ｂに近接した側壁１ａの外周部には、外方に突出した複数個の凸部１ｅが設けられている。
また、枠体１は、枠体１内に設けられ、該枠体１の側壁１ａと電気的に接続された複数枚（例えば２枚）のシールド板４を有し、このシールド板４は、枠体１の開口部１ｃに対して垂直であって、且つ枠体１の内部を複数個の領域に仕切るように配置されている。
【００１２】
プリント配線基板２は、平板状の例えばガラス入りエポキシ樹脂材料から成り、図示していないが、一方の面側には、集積回路（ＩＣ）やコイルなどが載置され、他方の面側には、チップ抵抗器やチップコンデンサーなどが載置されている。
また、プリント配線基板２は、枠体１の開放部１ｃに一方の面側を内側にして枠体１に仮止めされて配置され、プリント配線基板２の他方の面側の接地パターンは、枠体１と半田によって電気的に接続され、これによって、プリント配線基板２が枠体１に固定されている。この固定された状態で、枠体１の内部のシールド板４に区切られた複数個（例えば３個）の領域に収納された電子回路は、シールド板４によって、各電子回路の相互の干渉が防止されている。
【００１３】
カバー３は、導電性の金属板を切断、折り曲げ加工することによって形成され、平板部３ａと、平板部３ａの外周部を下方に折り曲げて形成された複数個の爪部３ｂとを有している。また、平板部３ａには、複数個の幅狭なスリット状の長孔３ｃと、該長孔３ｃの近傍にそれぞれ設けられ、平板部３ａから下方に突出された略半球状の突部３ｄとが設けられている。また、長孔３ｃは、前記爪部３ｂの近傍で、且つ爪部３ｂに平行に設けられ、そして、前記突部３ｄと爪部３ｂとの間に設けられている。
また、カバー３は、爪部３ｂが、枠体１に設けられた凸部１ｅに係止されて、開口部１ｂを覆うように取り付けられている。
また、長孔３ｃは、カバー３が枠体１に取り付けられとき枠体１の側壁１ａと平行に形成され、且つ、突部３ｄと側壁１ａとの間に設けられている。
【００１４】
このような構成において、カバー３の爪部３ｂが、枠体１の凸部１ｅに係止されることにより、カバー３が、枠体１に取り付けられる。この結果、カバー３が、爪部３ｂ、凸部１ｅ及び側壁１ａを介して接地される。
また、カバー３は、突部３ｄがシールド板４の上端部４ａに当接するためシールド板４及び側壁１ａを介して接地される。
【００１５】
なお、上述の本発明の電子機器における、カバー３の長孔３ｃは、カバー３の突部３ｄと枠体１の側壁１ａとの間にひとつのみ設けられた実施の形態について説明したが、これに限定されず、長孔を平行に複数本設けても良い。
【００１６】
【発明の効果】
以上説明したように、本発明の電子機器によれば、カバーの突部とシールド板との接触圧力が強くとも、この圧力は、長孔によって吸収されるのでカバーの爪部に加えられることがなく、よって、爪部が枠体の凸部から外れることはない。このため、カバーと枠体との接触が確実に行うことができ、よって、カバーによるシールド効果が高くなり、枠体内に収納されたそれぞれの電子回路が外来雑音の影響を受けることを防止し、また、電子回路が発生する雑音電波が枠体から外部へ漏れることを防ぐことが出来るという効果を奏する。
【００１７】
また、本発明の電子機器によれば、長孔が、枠体の側壁と平行に設けられていることから、カバーの接触圧力が強くとも、側壁と平行に設けられた長孔によって、側壁側にかかる圧力を確実に吸収でき、このことからカバーと枠体との接触が一層確実に行うことが出来る。
【図面の簡単な説明】
【図１】本発明の電子機器の実施の形態を示す斜視図である。
【図２】本発明の電子機器の実施の形態を示す断面図である。
【図３】本発明の電子機器からカバーを外した状態を示す斜視図である。
【図４】従来の電子機器を示す斜視図である。
【図５】従来の電子機器を示す断面図である。
【図６】従来の電子機器からカバーを外した状態を示す斜視図である。
【符号の説明】
１  枠体
１ａ  側壁
１ｂ、１ｃ  開口部
３  カバー
３ａ  平板部
３ｂ  爪部
３ｃ  長孔
３ｄ  突部
３ｆ  舌片部
４  シールド板
４ａ  上端部
【図１】
0003752382.tif 000002
【図２】
0003752382.tif 000003
【図３】
0003752382.tif 000004
【図４】
0003752382.tif 000005
【図５】
0003752382.tif 000006
【図６】
0003752382.tif 000007